(57)【要約】【課題】既存の色分解で得られる墨版に近い特性を持った墨版量の決定方法を提供し、実際の人間の色の見え方に沿った評価に基づく、実用上十分な精度を持った分解４原色量を決定する方法および装置を提供する。【解決手段】初期値となる分解３原色量の組み合わせを、予め設定された分解曲線に基づく光学濃度の組み合わせに変換し、光学濃度の最小濃度と分解曲線に基づいて、墨版量を決定する。分解４原色量の組み合わせは、仮想的な組み合わせから、再現される色の視覚の三刺激値を予測し、均等色空間などにおける色差が最小となるように、逐次近似法を利用して決定する。【選択図】図３
2007006530.tif 000002
【特許請求の範囲】
【請求項１】
分解３原色量の組み合わせ（ｃ，ｍ，ｙ）から墨版の量ｋを決定する方法において、
分解３原色量（ｃ，ｍ，ｙ）を、予め設定された分解曲線に基づいて光学濃度（Ｓｃ，Ｓｍ，Ｓｙ）に変換し、前記光学濃度の最小濃度を墨版の濃度Ｓｋとし、前記分解曲線に基づいて光学濃度Ｓｋに対応する墨版量ｋを決定することを特徴とする墨版量決定方法。
【請求項２】
分解３原色量の組み合わせ（ｃ，ｍ，ｙ）から墨版の量ｋを決定し、分解４原色量の組み合わせ（ｃ，ｍ，ｙ，ｋ）を決定する方法において、
分解３原色量（ｃ，ｍ，ｙ）を、予め設定された分解曲線に基づいて光学濃度（Ｓｃ，Ｓｍ，Ｓｙ）に変換し、前記光学濃度の最小濃度を墨版の濃度Ｓｋとし、前記分解曲線に基づいて光学濃度Ｓｋに対応する墨版量ｋを決定する手順を含み、４原色量の組み合わせ（ｃ，ｍ，ｙ，ｋ）を決定することを特徴とする分解４原色量の決定方法。
【請求項３】
再現させる色として、視覚の三刺激値またはそれを変換することによって得られる任意の色特定要素が与えられたとき、その色を再現するための分解原色の量の組み合わせを決定する原色変換方法において、
視覚の三刺激値またはそれから得られる色特定要素から、初期値となる分解３原色量の組み合わせ（ｃ，ｍ，ｙ）を決定し、
請求項２に記載の手順により、分解４原色量（ｃ，ｍ，ｙ，ｋ）を決定し、
分解４原色量の組み合わせから再現される色の視覚の三刺激値を予測し、
再現させる色と上記で予測された色との色差を、均等色空間または色を表す表色系空間上で計算し、
上記色差を評価関数とし、色差が最小となるように３原色量（ｃ，ｍ，ｙ）をパラメータとして、墨版の量ｋは請求項１の墨版量決定方法に基づいて（ｃ，ｍ，ｙ）の従属関数として決定しつつ、逐次近似法を用いて分解４原色量の組み合わせ（ｃ，ｍ，ｙ，ｋ）を決定することを特徴とする原色変換方法。
【請求項４】
再現させる色として、視覚の三刺激値またはそれを変換することによって得られる任意の色特定要素が与えられたとき、その色を再現するための分解原色の量の組み合わせを決定する原色変換装置であって、
再現させる色の視覚の三刺激値または上記色特定要素を取得する目的色取得手段と、
目的色取得手段から渡されるデータを記憶する目的色記憶手段と、
目的色取得手段もしくは目的色記憶手段から得られる再現させる色の三刺激値または上記色特定要素から、初期値となる３原色量（ｃ，ｍ，ｙ）を決定する初期値設定手段と、
予め設定された分解曲線を取得する分解曲線入力手段と、
上記分解曲線を読み出し可能に記憶した分解曲線記憶手段と、
分解曲線記憶手段に保持されている分解曲線を参照して、３原色量（ｃ，ｍ，ｙ）から光学濃度（Ｓｃ，Ｓｍ，Ｓｙ）を算出する濃度算出手段と、
光学濃度（Ｓｃ，Ｓｍ，Ｓｙ）から最小濃度を検出し、墨版の濃度Ｓｋを決定する墨版濃度決定手段と、
墨版濃度決定手段で決定された墨版濃度Ｓｋから、分解曲線記憶手段に保持されている分解曲線を参照して墨版量ｋを決定する墨版量決定手段と、
分解４原色量（ｃ，ｍ，ｙ，ｋ）の組み合わせから再現される色の視覚の三刺激値を予測する再現色予測手段と、
再現させる色と上記予測された色との色差を、均等色空間または色を表す表色系空間上で計算する色差演算手段と、
上記計算により得られる色差を評価関数とし、分解３原色量（ｃ，ｍ，ｙ）をパラメータとして、墨版量ｋは（ｃ，ｍ，ｙ）の従属関数として決定しつつ、逐次近似法を用いて分解４原色量の組み合わせ（ｃ，ｍ，ｙ，ｋ）を決定する逐次近似計算手段とを有することを特徴とする原色変換装置。
【発明の詳細な説明】
【技術分野】
【０００１】
本発明は、多色刷り印刷やカラープリンタなどにおいて、再現したい色に関して視覚の三刺激値またはそれを変換することによって得られる任意の色特定要素が与えられたときに、その色を再現するための原色の量を決定する方法に関し、特に４色印刷の際の墨版の量を決定する方法に関するものである。
【背景技術】
【０００２】
再現目的色とする視覚の三刺激値（Ｘ，Ｙ，Ｚ）から、この色を再現するための印刷の分解色、すなわちシアン（ｃ），マゼンダ（ｍ），イエロー（ｙ），ブラック（ｋ）の量を求める問題は、３次の入力から４次の出力を求める不定問題となる。
この不定問題の解を求める方法として、従来の色分解で用いられている手法、すなわち、ＵＣＲ（ｕｎｄｅｒ−ｃｏｌｏｒ  ｒｅｍｏｖａｌ  ）、ＵＣＡ（ｕｎｄｅｒ−ｃｏｌｏｒ  ａｄｄｉｔｉｏｎ）、ＧＣＲ（ｇｒａｙ−ｃｏｍｐｏｎｅｎｔ  ｒｅｐｌａｃｅｍｅｎｔ）に基づいて墨版の量を決定する手法がある。例えば、ＵＣＲと呼ばれる方法では下式（１）により、墨版の量を決定している。
【０００３】
【数１】
2007006530.tif 000003
【０００４】
式（１）においてｂはｂｌａｃｋ−ｒａｔｅ、ｕはｕｎｄｅｒ−ｃｏｌｏｒ−ｒｅｍｏｖａｌ  ｒａｔｅであり、（ｃ’，ｍ’，ｙ’，ｋ’）はＵＣＲによる４色分解の結果を示している。
すなわち、従来のＵＣＲでは、与えられた（ｃ，ｍ，ｙ）からｋを決定し、そのｋを用いて（ｃ，ｍ，ｙ）を更に変換することによって、（ｃ，ｍ，ｙ，ｋ）の組み合わせを求めている。この計算にあたっては、網点面積率やデバイスの信号値が利用される。
【０００５】
しかしながらこれらの方法では、３色（ｃ，ｍ，ｙ）から４色（ｃ，ｍ，ｙ，ｋ）への変換が、直接網点面積率上もしくはデバイスの信号値の空間でなされるため、測色的な精度が不十分であった。
【０００６】
また、他の方法として、一意の解を得るために任意の墨版量ｋを始めに決定する方法があるが、この方法で生成される墨版の特性は、従来の分解における墨版の特性と大きく異なる。
これにより、分解後のレタッチ作業が困難になることや、従来の作業工程に熟練した作業者が、分解後の原色量の組み合わせから印刷時の色を予測することが困難になるといった問題があった。
【発明の開示】
【発明が解決しようとする課題】
【０００７】
本発明は、上述した従来の問題点を解決すべくなされたものであり、本来不定問題である墨版の量の決定方法を提供し、目的の分解原色の量が実用上十分な精度で求まり、かつ、この変換によって得られる墨版の特性が従来の色分解で得られる墨版の特性と大きく異ならないことにより、分解後の作業に支障をきたすこと無く分解原色の量を決定する方法および装置を提供することを目的とする。
【課題を解決するための手段】
【０００８】
上記の目的を達成するため、本発明に係る墨版量決定方法は、
カラー印刷などで墨版の量を決定する方法において、
（１）  分解３原色量（ｃ，ｍ，ｙ）を、予め設定された分解曲線に基づいて光学濃度（Ｓｃ，Ｓｍ，Ｓｙ）に変換し、
（２）  光学濃度（Ｓｃ，Ｓｍ，Ｓｙ）の中から最小濃度を検出し墨版濃度Ｓｋを決定し、上記分解曲線に基づいて墨版量ｋに変換することによって、墨版量ｋを決定することを特徴としている。
【０００９】
また、本発明に係る分解４原色量決定方法は、
（１）  分解３原色量（ｃ，ｍ，ｙ）を、予め設定された分解曲線に基づいて光学濃度（Ｓｃ，Ｓｍ，Ｓｙ）に変換し、
（２）  前記光学濃度の最小濃度を墨版の濃度Ｓｋとし、上記分解曲線に基づいて光学濃度Ｓｋに対応する墨版量ｋを決定する手順を含み、
（３）  分解４原色量の組み合わせ（ｃ，ｍ，ｙ，ｋ）を決定することを特徴とする。
【００１０】
また、本発明に係る原色変換方法は、
カラー印刷などにおいて、再現させる色を与える視覚の三刺激値またはそれを変換することによって得られる任意の色特定要素（以下、三刺激値など、と称する）に対して、その色を再現する分解原色の量を決定する原色変換方法において、
（１）  与えられた三刺激値などから初期値となる分解３原色量の組み合わせ（ｃ，ｍ，ｙ）を決定し、
（２）  前述の墨版量決定方法に基づいて墨版量ｋを決定し、
（３）  分解４原色量の組み合わせ（ｃ，ｍ，ｙ，ｋ）から、再現色の視覚の三刺激値を予測し、
（４）  再現させる色と予測された色の均等色空間または色を表す表色系空間における色差を算出し、
（５）  この色差を評価関数とし、この色差が最小となるように、３原色量（ｃ，ｍ，ｙ）をパラメータとして、墨版の量は本発明に係る墨版量決定方法に基づいて（ｃ，ｍ，ｙ）の従属関数として決定しつつ、逐次近似法によって分解４原色の組み合わせ（ｃ，ｍ，ｙ，ｋ）を決定する、
ことを特徴としている。
【００１１】
また、本発明に係る原色変換装置は、
再現させる色として視覚の三刺激値などが与えられたとき、その色を再現するための分解原色の量の組み合わせを決定する原色変換装置であって、
再現させる色の三刺激値などを取得するための目的色取得手段ｓ１と、
目的色取得手段からのデータを記憶する目的色記憶手段ｓ１１と、
予め設定された分解曲線を入力するための分解曲線入力手段ｓ９と、
分解曲線入力手段によって得られる分解曲線を保持する分解曲線記憶手段ｓ１０と、
目的色取得手段もしくは目的色記憶手段から取り出したデータから、初期値となる原色量（ｃ，ｍ，ｙ）を決定する初期値設定手段ｓ２と、
原色量（ｃ，ｍ，ｙ）から、分解曲線記憶手段に保持された分解曲線に基づいて光学濃度（Ｓｃ，Ｓｍ，Ｓｙ）を算出する濃度算出手段ｓ３と、
光学濃度（Ｓｃ，Ｓｍ，Ｓｙ）から最小濃度を検出し、その濃度を墨版の濃度Ｓｋとして決定する墨版濃度決定手段ｓ４と、
墨版濃度決定手段から得られるＳｋから、分解曲線記憶手段に保持された分解曲線に基づいて墨版の量ｋを決定する墨版量決定手段ｓ５と、
原色量（ｃ，ｍ，ｙ，ｋ）から再現される色を予測する再現色予測手段ｓ６と、
目的色記憶手段に保持されている再現させる色と、予測された再現色の間の均等色空間または色を表す表色系空間上での色差を計算する色差演算手段ｓ７と、
再現させる色と予測された色の均等色空間または色を表す表色系空間上での色差を評価関数として、その色差が最小となるように、原色量（ｃ，ｍ，ｙ）をパラメータとして、墨版量ｋは上記の墨版量決定方法に基づいて決定しつつ、逐次近似法によって原色量の組み合わせ（ｃ，ｍ，ｙ，ｋ）を決定する逐次近似計算手段ｓ８、
とを有することを特徴としている。（図２参照）
【発明の効果】
【００１２】
墨版量ｋの決定には従来の分解で用いられる分解曲線を用いているため、従来の分解で得られる墨版に近い特性を持った墨版が得られる。
また、分解原色の量を求める逐次近似の際の評価関数として、人間の色の見え方に対する視覚特性を考慮した均等色空間での色差を用いているため、実際の人間の色の見え方に沿った評価ができ、実用上十分な精度を持った分解原色の量を求めることができる。他の空間での色差を用いた場合でも、逐次近似の方法とその終了条件を適切に設定すれば、実用上十分な精度で分解原色の量を求めることができる。
従って、本発明によって、分解後の作業に支障をきたすこと無く分解原色の量を決定する方法および装置が提供される。
【発明を実施するための最良の形態】
【００１３】
以下、本発明の一実施形態を図１〜図３を用いて説明する。
図１は、本発明に係る原色変換装置の一例を示すブロック図である。
同図において、１はキーボードなどの入力装置、２はメモリ、３はＣＰＵ、４は入出力インターフェース、５は外部記憶装置、６はモニタである。
【００１４】
キーボードなどの入力装置１は、再現させる色の三刺激値を入力するためのものである。ＣＰＵ３は、ソフトウェアの働きに基づいて各装置を制御すると共に、下記の各処理を行う。
１．再現させる色の三刺激値から分解原色の網点面積率の初期値（ｃ，ｍ，ｙ）を決定する。
２．分解原色の網点面積率（ｃ，ｍ，ｙ）から墨版の網点面積率ｋを決定する。
３．分解原色の網点面積率（ｃ，ｍ，ｙ，ｋ）から再現される色の三刺激値を予測する。
４．再現させる色と予測された色の均等色空間または色を表す表色系空間上における色差を計算する。
５．逐次近似法により分解原色の網点面積率（ｃ，ｍ，ｙ，ｋ）を決定する。
【００１５】
メモリ２は、入力された再現させる色、各原色の網点面積率と濃度の変換に用いられる分解曲線、その他ＣＰＵ３による処理の段階で必要となる変数などを保持するためのものである。
【００１６】
外部記憶装置５は、読み出しおよび書き込みが可能な記憶装置であり、上記の分解曲線入力手段として利用され、また、変換結果の記憶に用いられるものである。
【００１７】
モニタ６は変換の経過や変換結果、その他必要な情報を表示するためのものである。
【００１８】
次に、本実施形態の処理の例を図３のフローチャートに基づいて説明する。なお、本実施例においては、多色刷り印刷（平版印刷）を想定しているが、濃度変調型のグラビア印刷や、写真感材を用いたハードコピー、昇華溶融型のハードコピーなどにも応用でき、面積変調型再現方法には制限されない。
【００１９】
また、印刷の原色としてシアン、マゼンタ、イエロー、ブラックを用い、この原色の量をあらわすものとして、各色の網点面積率を用いるが、主濃度、主反射率、発色させる駆動エネルギー等、原色を表す量であるならば何を用いても良い。
【００２０】
（１）  再現させる色の三刺激値の入力（フローチャートの１００）
まず、再現させる色の三刺激値（Ｘ０，Ｙ０，Ｚ０）を、キーボードなどの入力装置１から入力する。この際、モニタ６に、入力を促すプロンプトを表示する。入力されたデータは、メモリ２内に記憶する。
【００２１】
（２）  分解曲線の読み込み（フローチャートの１０１）
網点面積率と濃度の関係を表す分解曲線を、外部記憶装置５からインターフェース４を介してメモリ２に読み込む。
分解曲線は多項式近似の形でも、入力と出力の一対一の対応を記憶したルックアップテーブル（ＬＵＴ）の形でも良い。
【００２２】
（３）  網点面積率の初期値の設定（フローチャートの１０２）
入力された三刺激値から網点面積率の初期値（ｃ，ｍ，ｙ）を決定する。
この決定にあたっては、どのような方法を用いても良いが、例えば下式（２）を利用する。下式（２）  において（Ｘｎ，Ｙｎ，Ｚｎ）は、白色に対応する三刺激値である。
【００２３】
【数２】
2007006530.tif 000004
【００２４】
（４）  網点面積率→濃度変換（フローチャートの１０３）
メモリ２に格納された各原色に対する分解曲線を参照して、網点面積率（ｃ，ｍ，ｙ）を光学濃度（Ｓｃ，Ｓｍ，Ｓｙ）に変換する。
【００２５】
（５）  墨版濃度決定（フローチャートの１０４）
光学濃度（Ｓｃ，Ｓｍ，Ｓｙ）の最小濃度ｍｉｎ（Ｓｃ，Ｓｍ，Ｓｙ）を墨版の濃度Ｓｋとする。
【００２６】
（６）  墨版網点面積率決定（フローチャートの１０５）
メモリ２に格納された分解曲線を参照して、墨版の濃度Ｓｋを、墨版の網点面積率ｋに変換する。
【００２７】
（７）  再現色予測三刺激値算出（フローチャートの１０６）
網点面積率（ｃ，ｍ，ｙ，ｋ）から再現される色を予測する。この予測は、ノイゲバウア式、修正ノイゲバウア式、重回帰モデル式を用いた予測方法、ＬＵＴを用いた方法などから選択される手法によって行い、再現予測色三刺激値（Ｘ，Ｙ，Ｚ）を求める。
【００２８】
（８）  色差演算（フローチャートの１０７）
再現させる色の三刺激値（Ｘ０，Ｙ０，Ｚ０）と、再現予測三刺激値（Ｘ，Ｙ，Ｚ）を均等色空間座標に変換し、その均等色空間上での色差ｄＥを計算する。
均等色空間としては、ＣＩＥＬＡＢ、ＣＩＥＬＵＶなどがあるが、いずれを用いても良い。また、三刺激値の空間で同様の計算を行っても良い。
【００２９】
（９）  終了判定（フローチャートの１０８）
後述する逐次近似計算の終了条件が満たされているか否かを判定し、終了条件が満たされた場合には逐次近似計算のループから抜ける。
【００３０】
（１０）逐次近似計算（フローチャートの１１０）
フローチャートの１０７で算出された色差ｄＥを評価関数とし、原色の網点面積率（ｃ，ｍ，ｙ）をパラメータとして、逐次近似計算を行う。
逐次近似の方法は、ニュートンラプソン法、シンプレックス法、シミュレーテッドアニーリングなどいずれの方法でも良い。
具体的には、使用する逐次近似計算の方法に従って、パラメータである網点面積率（ｃ，ｍ，ｙ）を変動させ、評価関数である色差ｄＥが逐次近似の終了条件を満たすまでフローチャートの１０３から１０８を繰り返す。
終了条件には、色差ｄＥがあらかじめ設定されたある色差よりも小さくなったときや、逐次近似の計算が十分に収束するなど、何れの時点を以て採用しても良い。
【００３１】
（１１）結果の保存、表示（フローチャートの１０９）
逐次近似の結果最終的に得られた網点面積率（ｃ，ｍ，ｙ，ｋ）をモニタ６に表示する。また、外部記憶装置５にこの結果を記録する。
外部記憶装置に記録する際、もしくはモニタに表示する際には、結果的に得られた網点面積率以外の情報、例えば、再現させる色として渡された三刺激値や、逐次近似の際最終的に残った色差などを、記録または表示しても良い。
【００３２】
以上、本発明の一実施形態を説明したが、その他に、本発明の主旨を逸脱しない下記に例示する変形例が考えられる。
【００３３】
（１）再現させる色の三刺激値をあらかじめファイルとして外部記憶装置に保存し、そのデータを読み出して入力としても良い。
【００３４】
（２）ＣＰＵ上で再現させる色の三刺激値を段階的に発生させるプログラムを走らせ、そのデータを入力としても良い。
【００３５】
（３）入力インターフェースを介して測色機を接続し、再現させる色を測色することにより、その測色結果を入力としても良い。
【００３６】
（４）入力には、三刺激値を変換して得られる任意の色特定要素を使っても良い。
【図面の簡単な説明】
【００３７】
【図１】本発明の原色変換装置の一例を示すブロック図。
【図２】本発明の原色変換装置に係る機能ブロック図である。
【図３】本発明の処理を示すフローチャートである。
【符号の説明】
【００３８】
１…キーボードなどの入力装置
２…メモリ
３…ＣＰＵ
４…インターフェース
５…外部記憶装置
６…モニタ
【図１】
2007006530.tif 000005
【図２】
2007006530.tif 000006
【図３】
2007006530.tif 000007